(57)【要約】【課題】ＬＤＡＰサーバ等の情報管理サーバからユーザ情報を取得して管理する画像形成装置に関して、情報管理サーバから取得されるユーザ情報の取得項目と、画像形成装置に管理されるユーザ情報の管理項目との対応関係をカスタマイズする手法を提案すること。【解決手段】ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備えることを特徴とする画像形成装置。【選択図】    図１４
2004274486.tif 000002
【特許請求の範囲】
【請求項１】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備えることを特徴とする画像形成装置。
【請求項２】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係を記入するための記入用紙を印刷する画像出力手段と、前記画像出力手段により印刷されて前記取得項目と前記管理項目との対応関係が記入された記入用紙から画像を取得する画像入力手段と、前記画像入力手段により取得された画像に基づいて、前記取得項目と前記管理項目との対応関係をカスタマイズするカスタマイズ手段を備えることを特徴とする画像形成装置。
【請求項３】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを記入するための記入用紙を印刷する画像出力手段と、前記画像出力手段により印刷されてどの管理項目にユーザ情報を登録して管理するかが記入された記入用紙から画像を取得する画像入力手段を備え、前記情報管理手段は、前記画像入力手段により取得された画像に基づいて、各管理項目にユーザ情報を登録して管理することを特徴とする画像形成装置。
【請求項４】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ手段を備えることを特徴とする画像形成装置。
【請求項５】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係を入力するための入力画面を送信する送信手段と、前記送信手段により送信された入力画面で入力された前記取得項目と前記管理項目との対応関係の入力情報を受信する受信手段と、前記受信手段により受信された入力情報に基づいて、前記取得項目と前記管理項目との対応関係をカスタマイズするカスタマイズ手段を備えることを特徴とする画像形成装置。
【請求項６】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を送信する送信手段と、前記送信手段により送信された入力画面で入力されたどの管理項目にユーザ情報を登録して管理するかの入力情報を受信する受信手段を備え、前記情報管理手段は、前記受信手段により受信された入力情報に基づいて、各管理項目にユーザ情報を登録して管理することを特徴とする画像形成装置。
【請求項７】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係を入力するための入力画面を表示するための表示手段と、前記表示手段により表示されている入力画面で前記取得項目と前記管理項目との対応関係を入力するための操作手段と、前記操作手段により入力された前記取得項目と前記管理項目との対応関係の入力情報に基づいて、前記取得項目と前記管理項目との対応関係をカスタマイズするカスタマイズ手段を備えることを特徴とする画像形成装置。
【請求項８】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を表示するための表示手段と、前記表示手段により表示されている入力画面でどの管理項目にユーザ情報を登録して管理するかを入力するための操作手段を備え、前記情報管理手段は、前記操作手段により入力されたどの管理項目にユーザ情報を登録して管理するかの入力情報に基づいて、各管理項目にユーザ情報を登録して管理することを特徴とする画像形成装置。
【請求項９】
前記入力画面は、Ｗｅｂ画面であることを特徴とする請求項４乃至８のいずれか１項に記載の画像形成装置。
【請求項１０】
前記情報管理サーバは、ＬＤＡＰサーバであることを特徴とする請求項１乃至８のいずれか１項に記載の画像形成装置。
【請求項１１】
前記情報管理手段により管理されているユーザ情報を利用して画像形成処理を実行することを特徴とする請求項１乃至１０のいずれか１項に記載の画像形成装置。
【請求項１２】
前記情報管理手段により管理されているユーザ情報を利用して画像を送信することを特徴とする請求項１乃至１０のいずれか１項に記載の画像形成装置。
【請求項１３】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係が記入された記入用紙から取得された画像に基づいて、前記取得項目と前記管理項目との対応関係をカスタマイズするカスタマイズ段階を備えることを特徴とする画像形成方法。
【請求項１４】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係を記入するための記入用紙を印刷する画像出力段階と、前記画像出力段階により印刷されて前記取得項目と前記管理項目との対応関係が記入された記入用紙から画像を取得する画像入力段階と、前記画像入力段階により取得された画像に基づいて、前記取得項目と前記管理項目との対応関係をカスタマイズするカスタマイズ段階を備えることを特徴とする画像形成方法。
【請求項１５】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを記入するための記入用紙を印刷する画像出力段階と、前記画像出力段階により印刷されてどの管理項目にユーザ情報を登録して管理するかが記入された記入用紙から画像を取得する画像入力段階を備え、前記情報管理段階は、前記画像入力段階により取得された画像に基づいて、各管理項目にユーザ情報を登録して管理することを特徴とする画像形成方法。
【請求項１６】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ段階を備えることを特徴とする画像形成方法。
【請求項１７】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係を入力するための入力画面を送信する送信段階と、前記送信段階により送信された入力画面で入力された前記取得項目と前記管理項目との対応関係の入力情報を受信する受信段階と、前記受信段階により受信された入力情報に基づいて、前記取得項目と前記管理項目との対応関係をカスタマイズするカスタマイズ段階を備えることを特徴とする画像形成方法。
【請求項１８】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を送信する送信段階と、前記送信段階により送信された入力画面で入力されたどの管理項目にユーザ情報を登録して管理するかの入力情報を受信する受信段階を備え、前記情報管理段階は、前記受信段階により受信された入力情報に基づいて、各管理項目にユーザ情報を登録して管理することを特徴とする画像形成方法。
【請求項１９】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係を入力するための入力画面を表示する表示段階と、前記表示段階により表示されている入力画面で入力された前記取得項目と前記管理項目との対応関係の入力情報に基づいて、前記取得項目と前記管理項目との対応関係をカスタマイズするカスタマイズ段階を備えることを特徴とする画像形成方法。
【請求項２０】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を表示する表示段階を備え、前記情報管理段階は、前記表示段階により表示されている入力画面で入力されたどの管理項目にユーザ情報を登録して管理するかの入力情報に基づいて、各管理項目にユーザ情報を登録して管理することを特徴とする画像形成方法。
【請求項２１】
前記入力画面は、Ｗｅｂ画面であることを特徴とする請求項１６乃至２０のいずれか１項に記載の画像形成方法。
【請求項２２】
前記情報管理サーバは、ＬＤＡＰサーバであることを特徴とする請求項１３乃至２０のいずれか１項に記載の画像形成方法。
【発明の詳細な説明】
【０００１】
【発明の属する技術分野】
本発明は、コピー、プリンタ、スキャナ、ファクシミリ、複合機、融合機等の画像形成装置及び画像形成方法に関する。
【０００２】
【従来の技術】
近年、１台の機器でコピーとプリンタとスキャナとファクシミリとしての機能を実現した「複合機」や「融合機」が市販されるようになった。これらの複合機や融合機は、撮像部と印刷部と通信部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。コピーやプリンタとして機能する場合、画像を印刷用紙等に印刷することになり、スキャナやファクシミリとして機能する場合、画像をネットワーク等を介して他の機器に送信することになる。
【０００３】
【発明が解決しようとする課題】
複合機や融合機の機能の中には「ユーザ情報」が必要となる機能が存在する。例えば、複合機や融合機がスキャナやファクシミリとして機能する場合、メールアドレスやファクシミリ電話番号のような「ユーザ情報」が必要となる。複合機や融合機には、これらのユーザ情報を管理する機能が用意されているのだが、複合機や融合機にさらに、これらのユーザ情報を「情報管理サーバ」から取得する機能が用意されていると便利である。このような「情報管理サーバ」としては、社員情報、顧客情報、住民情報等の管理に利用されているＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバ等が挙げられる。
【０００４】
ＬＤＡＰサーバでは、人間や組織は「オブジェクト」として観念される。個々のオブジェクトに関する情報は、個々のオブジェクトの「エントリ」により格納される。エントリには、オブジェクトの種類に関する情報である「オブジェクトクラス」や、オブジェクトの性質に関する情報である「属性」等が格納される。属性は、ｃ（国）ｏ（組織）ｏｕ（組織内単位）ｃｎ（姓名）ｓｎ（姓）ｇｉｖｅｎＮａｍｅ（名）ｍａｉｌ（メールアドレス）ｆａｃｓｉｍｉｌｅＴｅｌｅｐｈｏｎｅＮｕｍｂｅｒ（ファクシミリ電話番号）等の「属性型」と、ｃ：日本、ｏ：リコー、ｏｕ：研究開発部、ｃｎ：鈴木太郎、ｓｎ：鈴木、ｇｉｖｅｎＮａｍｅ：太郎等の「属性値」により構成される。各エントリはオブジェクトクラスにより階層化されているため、各エントリの識別名（ＤＮ）は、各エントリの１の属性（識別属性）に由来する各エントリの相対識別名（ＲＤＮ）を階層順に並べて構成される。
【０００５】
ＬＤＡＰクライアントとＬＤＡＰサーバの間では、様々な「要求」と「応答」が繰り返される。ＬＤＡＰでは、結合（ｂｉｎｄ）や結合解放（ｕｎｂｉｎｄ）等の認証系操作や、検索（ｓｅａｒｃｈ）や比較（ｃｏｍｐａｒｅ）等の問合せ系操作や、追加（ａｄｄ）や削除（ｄｅｌｅｔｅ）や変更（ｍｏｄｉｆｙ）等の更新系操作が用意されている。例えば、ＬＤＡＰクライアントからＬＤＡＰサーバに「検索操作」が要求されると、ＬＤＡＰサーバからＬＤＡＰクライアントに「検索結果」が応答される。
【０００６】
ところで、複合機や融合機がユーザ情報をＬＤＡＰサーバから取得する場合、ＬＤＡＰサーバから取得されるユーザ情報の取得項目と、複合機や融合機に管理されるユーザ情報の管理項目とを対応させる必要がある。ＬＤＡＰサーバに管理されているユーザ情報の管理項目（エントリに格納されている属性）と、複合機や融合機に管理されるユーザ情報の管理項目とが同じとは限らないからである。例えば、ＬＤＡＰサーバではメールアドレスは「ｍａｉｌ」という管理項目（属性）に管理されるが、複合機や融合機ではメールアドレスは「メール宛先」という管理項目に管理されたりする。そのため、ＬＤＡＰサーバから取得されるユーザ情報の取得項目と、複合機や融合機に管理されるユーザ情報の管理項目との対応関係をカスタマイズしておくと便利である。
【０００７】
さらには、複合機や融合機がユーザ情報をＬＤＡＰサーバから取得した場合、どの管理項目にユーザ情報を登録して管理することにするかを取捨選択する必要がある。例えば、複合機や融合機が「ｍａｉｌ」と「ｆａｃｓｉｍｉｌｅＴｅｌｅｐｈｏｎｅＮｕｍｂｅｒ」をＬＤＡＰサーバから取得した場合、管理項目「メール宛先」と管理項目「ＦＡＸ宛先」の片方だけにユーザ情報を登録することもあれば、管理項目「メール宛先」と管理項目「ＦＡＸ宛先」の両方ともにユーザ情報を登録することもあるからである。
【０００８】
したがって、本発明は第１に、ＬＤＡＰサーバ等の情報管理サーバからユーザ情報を取得して管理する画像形成装置に関して、情報管理サーバから取得されるユーザ情報の取得項目と、画像形成装置に管理されるユーザ情報の管理項目との対応関係をカスタマイズする手法を提案することを課題とする。
【０００９】
したがって、本発明は第２に、ＬＤＡＰサーバ等の情報管理サーバからユーザ情報を取得して管理する画像形成装置に関して、情報管理サーバからユーザ情報を取得したとき、どの管理項目にユーザ情報を登録して管理することにするかを取捨選択する手法を提案することを課題とする。
【００１０】
【課題を解決するための手段】
請求項１に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備える。
【００１１】
請求項２に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係を記入するための記入用紙を印刷する画像出力手段と、前記画像出力手段により印刷されて前記取得項目と前記管理項目との対応関係が記入された記入用紙から画像を取得する画像入力手段と、前記画像入力手段により取得された画像に基づいて、前記取得項目と前記管理項目との対応関係をカスタマイズするカスタマイズ手段を備える。
【００１２】
請求項３に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを記入するための記入用紙を印刷する画像出力手段と、前記画像出力手段により印刷されてどの管理項目にユーザ情報を登録して管理するかが記入された記入用紙から画像を取得する画像入力手段を備え、前記情報管理手段は、前記画像入力手段により取得された画像に基づいて、各管理項目にユーザ情報を登録して管理する。
【００１３】
請求項４に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ手段を備える。
【００１４】
請求項５に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係を入力するための入力画面を送信する送信手段と、前記送信手段により送信された入力画面で入力された前記取得項目と前記管理項目との対応関係の入力情報を受信する受信手段と、前記受信手段により受信された入力情報に基づいて、前記取得項目と前記管理項目との対応関係をカスタマイズするカスタマイズ手段を備える。
【００１５】
請求項６に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を送信する送信手段と、前記送信手段により送信された入力画面で入力されたどの管理項目にユーザ情報を登録して管理するかの入力情報を受信する受信手段を備え、前記情報管理手段は、前記受信手段により受信された入力情報に基づいて、各管理項目にユーザ情報を登録して管理する。
【００１６】
請求項７に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係を入力するための入力画面を表示するための表示手段と、前記表示手段により表示されている入力画面で前記取得項目と前記管理項目との対応関係を入力するための操作手段と、前記操作手段により入力された前記取得項目と前記管理項目との対応関係の入力情報に基づいて、前記取得項目と前記管理項目との対応関係をカスタマイズするカスタマイズ手段を備える。
【００１７】
請求項８に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を表示するための表示手段と、前記表示手段により表示されている入力画面でどの管理項目にユーザ情報を登録して管理するかを入力するための操作手段を備え、前記情報管理手段は、前記操作手段により入力されたどの管理項目にユーザ情報を登録して管理するかの入力情報に基づいて、各管理項目にユーザ情報を登録して管理する。
【００１８】
請求項９に記載の発明（画像形成装置）は、請求項４乃至８のいずれか１項に記載の発明（画像形成装置）に関して、前記入力画面は、Ｗｅｂ画面である。
【００１９】
請求項１０に記載の発明（画像形成装置）は、請求項１乃至８のいずれか１項に記載の発明（画像形成装置）に関して、前記情報管理サーバは、ＬＤＡＰサーバである。
【００２０】
請求項１１に記載の発明（画像形成装置）は、請求項１乃至１０のいずれか１項に記載の発明（画像形成装置）に関して、前記情報管理手段により管理されているユーザ情報を利用して画像形成処理を実行する。
【００２１】
請求項１２に記載の発明（画像形成装置）は、請求項１乃至１０のいずれか１項に記載の発明（画像形成装置）に関して、前記情報管理手段により管理されているユーザ情報を利用して画像を送信する。
【００２２】
請求項１３に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係が記入された記入用紙から取得された画像に基づいて、前記取得項目と前記管理項目との対応関係をカスタマイズするカスタマイズ段階を備える。
【００２３】
請求項１４に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係を記入するための記入用紙を印刷する画像出力段階と、前記画像出力段階により印刷されて前記取得項目と前記管理項目との対応関係が記入された記入用紙から画像を取得する画像入力段階と、前記画像入力段階により取得された画像に基づいて、前記取得項目と前記管理項目との対応関係をカスタマイズするカスタマイズ段階を備える。
【００２４】
請求項１５に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを記入するための記入用紙を印刷する画像出力段階と、前記画像出力段階により印刷されてどの管理項目にユーザ情報を登録して管理するかが記入された記入用紙から画像を取得する画像入力段階を備え、前記情報管理段階は、前記画像入力段階により取得された画像に基づいて、各管理項目にユーザ情報を登録して管理する。
【００２５】
請求項１６に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ段階を備える。
【００２６】
請求項１７に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係を入力するための入力画面を送信する送信段階と、前記送信段階により送信された入力画面で入力された前記取得項目と前記管理項目との対応関係の入力情報を受信する受信段階と、前記受信段階により受信された入力情報に基づいて、前記取得項目と前記管理項目との対応関係をカスタマイズするカスタマイズ段階を備える。
【００２７】
請求項１８に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を送信する送信段階と、前記送信段階により送信された入力画面で入力されたどの管理項目にユーザ情報を登録して管理するかの入力情報を受信する受信段階を備え、前記情報管理段階は、前記受信段階により受信された入力情報に基づいて、各管理項目にユーザ情報を登録して管理する。
【００２８】
請求項１９に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報管理段階により管理されるユーザ情報の管理項目との対応関係を入力するための入力画面を表示する表示段階と、前記表示段階により表示されている入力画面で入力された前記取得項目と前記管理項目との対応関係の入力情報に基づいて、前記取得項目と前記管理項目との対応関係をカスタマイズするカスタマイズ段階を備える。
【００２９】
請求項２０に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されるユーザ情報の取得項目と前記情報取得管理により管理されるユーザ情報の管理項目との対応関係がカスタマイズされている場合において、前記情報取得段階がユーザ情報を取得したとき、どの管理項目にユーザ情報を登録して管理するかを入力するための入力画面を表示する表示段階を備え、前記情報管理段階は、前記表示段階により表示されている入力画面で入力されたどの管理項目にユーザ情報を登録して管理するかの入力情報に基づいて、各管理項目にユーザ情報を登録して管理する。
【００３０】
請求項２１に記載の発明（画像形成方法）は、請求項１６乃至２０のいずれか１項に記載の発明（画像形成方法）に関して、前記入力画面は、Ｗｅｂ画面である。
【００３１】
請求項２２に記載の発明（画像形成方法）は、請求項１３乃至２０のいずれか１項に記載の発明（画像形成方法）に関して、前記情報管理サーバは、ＬＤＡＰサーバである。
【００３２】
請求項１、２、４、５、又は７に記載の発明（画像形成装置）は、ＬＤＡＰサーバ等の情報管理サーバからユーザ情報を取得して管理する画像形成装置に関して、情報管理サーバから取得されるユーザ情報の取得項目と、画像形成装置に管理されるユーザ情報の管理項目との対応関係を比較的簡単にカスタマイズすることを可能にする。
【００３３】
請求項３、６、又は８に記載の発明（画像形成装置）は、ＬＤＡＰサーバ等の情報管理サーバからユーザ情報を取得して管理する画像形成装置に関して、情報管理サーバからユーザ情報を取得したとき、どの管理項目にユーザ情報を登録して管理することにするかを比較的簡単に取捨選択することを可能にする。
【００３４】
請求項１３、１４、１６、１７、又は１９に記載の発明（画像形成方法）は、ＬＤＡＰサーバ等の情報管理サーバからユーザ情報を取得して管理する画像形成方法に関して、情報管理サーバから取得されるユーザ情報の取得項目と、画像形成方法に管理されるユーザ情報の管理項目との対応関係を比較的簡単にカスタマイズすることを可能にする。
【００３５】
請求項１５、１８、又は２０に記載の発明（画像形成方法）は、ＬＤＡＰサーバ等の情報管理サーバからユーザ情報を取得して管理する画像形成方法に関して、情報管理サーバからユーザ情報を取得したとき、どの管理項目にユーザ情報を登録して管理することにするかを比較的簡単に取捨選択することを可能にする。
【００３６】
【発明の実施の形態】
本発明の実施の形態について説明する。
【００３７】
図１は、本発明の実施の形態の例である融合機１０１を表す。図１の融合機１０１は、種々のハードウェア１１１と、種々のソフトウェア１１２と、融合機起動部１１３により構成される。これらにより、図１の融合機１０１は、コピーやプリンタやスキャナやファクシミリとして機能する。
【００３８】
ハードウェア１１１としては、撮像部１２１と、印刷部１２２と、その他のハードウェア１２３が存在する。
【００３９】
撮像部１２１は、原稿から画像（画像データ）を取得するためのハードウェアであり、コピーやスキャナやファクシミリとして機能する際に使用される。撮像部１２１は、白黒画像用の物でもカラー画像用の物でもよい。撮影部１２１は、原稿に関する機構として、原稿セット部等を備える。
【００４０】
印刷部１２２は、画像（画像データ）を印刷用紙等に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙搬送機構等を備える。
【００４１】
その他のハードウェア１２３に関しては、図２において説明する。
【００４２】
ソフトウェア１１２としては、種々のアプリケーション１３１と、プラットフォーム１３２が存在する。これらは、ＵＮＩＸ（登録商標）等のＯＳ（オペレーティングシステム）によりプロセス単位で並列的に実行される。
【００４３】
アプリケーション１３１は、コピーやプリンタやスキャナやファクシミリ等の各機能に固有の情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等を配信するためのＷｅｂサーバソフト、ＨＴＭＬ文書等を閲覧するためのＷｅｂブラウザ等により構成される。
【００４４】
プラットフォーム１３２は、アプリケーション１３１からハードウェア１１１への処理要求に関する情報処理を実行するためのソフトウェアである。アプリケーション１３１からの処理要求の受信には、予め定義されている関数により処理要求を受信するアプリケーションインタフェース（ＡＰＩ）１３３を利用して、ハードウェア１１１への処理要求の送信には、予め定義されている関数により処理要求を送信するエンジンインタフェース（ＥＮＩ）１３４を利用する。プラットフォーム１３２は、種々のコントロールサービス１５１と、システムリソースマネージャ１５２と、種々のハンドラ１５３により構成される。
【００４５】
コントロールサービス１５１は、アプリケーション１３１からハードウェア１１１への処理要求を解釈して、解釈結果に応じてハードウェア１１１の獲得要求を発生する。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、ユーザディレクトリコントロールサービス（ＵＣＳ）１６７と、システムコントロールサービス（ＳＣＳ）１６８が存在する。
【００４６】
ＮＣＳ１６１のプロセスは、ネットワーク等を介してデータ通信を行うためのＡＰＩを提供する。ＦＣＳ１６２のプロセスは、ファクシミリとして画像データ通信・画像データ取得・画像データ印刷等を行うためのＡＰＩを提供する。ＤＣＳ１６３のプロセスは、融合機１０１に蓄積されている文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＵＣＳ１６７のプロセスは、ユーザ情報の管理に関する制御を行う。ＳＣＳ１６８のプロセスは、システムの管理に関する制御を行う。
【００４７】
システムリソースマネージャ（ＳＲＭ）１５２は、ハードウェア１１１の獲得要求を調停して、調停結果に応じてハードウェア１１１への処理要求を実現するための制御を行う。具体的に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１に通知する。さらには、獲得要求に係るハードウェア１１１の利用スケジュールを作成して、作成結果に応じてハードウェア１１１への処理要求を実現するための制御を行う。
【００４８】
ハンドラ１５３は、上記の調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、メモリを各プロセスに割り振り、各プロセスが割り振られたメモリを管理する。
【００４９】
融合機起動部１１３は、融合機１０１の電源投入時に最初に実行される。これにより、ＵＮＩＸ（登録商標）等のＯＳが起動されて、アプリケーション１３１とプラットフォーム１３２が起動される。これらのプログラムは、ハードディスクドライブに蓄積されており、ハードディスクドライブから再生されて、メモリに起動されることになる。
【００５０】
図２は、図１の融合機１０１のハードウェア１１１を表す。ハードウェア１１１としては、コントローラ２０１と、オペレーションパネル２０２と、ファクシミリコントロールユニット（ＦＣＵ）２０３と、撮像部１２１と、印刷部１２２が存在する。図２における撮像部１２１と印刷部１２２を除く構成要素が、図１における「その他のハードウェア１２３」に該当する。
【００５１】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００５２】
ＣＰＵ２１１は、種々の情報処理を実行するためのハードウェアである。例えば、ＵＮＩＸ（登録商標）等のＯＳにより、アプリケーション１３１とプラットフォーム１３２をプロセス単位で並列的に実行する。ＡＳＩＣ２１２は、画像データ処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００５３】
ＭＥＭ−Ｐ２３１は、ＮＢ２２１に接続されて使用されるメモリである。ＭＥＭ−Ｃ２３２は、ＡＳＩＣ２１２に接続されて使用されるメモリである。ＨＤＤ２３３は、ＡＳＩＣ２１２に接続されて使用されるストレージであり、画像データ蓄積・文書データ蓄積・プログラム蓄積・フォントデータ蓄積・フォームデータ蓄積等を行うために使用される。
【００５４】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様のパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩバスによりＮＢ２２１とＳＢ２２２に接続されている。
【００５５】
オペレーションパネル２０２は、オペレータが融合機１０１に入力を行うためのハードウェア（操作部）であると共に、融合機１０１がオペレータに出力を行うためのハードウェア（表示部）である。オペレーションパネル２０２は、ＡＳＩＣ２１２に接続されている。ＦＣＵ２０３と、撮像部１２１と、印刷部１２２は、ＰＣＩバスによりＡＳＩＣ２１２に接続されている。
【００５６】
図３は、図１の融合機１０１の外観を表す。図３には、撮像部１２１の位置、印刷部１２２の位置、オペレーションパネル２０２の位置が図示されている。図３にはさらに、原稿をセットするための原稿セット部３０１、印刷用紙の給紙先となる給紙部３０２、印刷用紙の排紙先となる排紙部３０３が図示されている。原稿セット部３０１は、撮像部１２１の構成要素であり、給紙部３０２と排紙部３０３は、印刷部１２２の構成要素である。
【００５７】
オペレーションパネル２０２は、図４のように、タッチパネル３１１と、数字ボタン３１２と、スタートボタン３１３により構成される。
【００５８】
タッチパネル３１１は、オペレータが融合機１０１にタッチ操作で入力を行うためのハードウェア（タッチ操作部）であると共に、融合機１０１がオペレータに画面表示で出力を行うためのハードウェア（画面表示部）である。数字ボタン３１２は、オペレータが融合機１０１にボタン操作で数字入力を行うためのハードウェアである。スタートボタン３１３は、オペレータが融合機１０１にボタン操作でスタート入力を行うためのハードウェアである。
【００５９】
融合機１０１は、原稿セット部３０１に原稿がセットされている場合、スタートボタン３１３が押されることで、撮像部１２１によりその原稿から画像を取得する。融合機１０１は、コピーとして機能する場合、印刷部１２２によりその画像を印刷用紙等に印刷することになり、スキャナやファクシミリとして機能する場合、ＮＩＣ２４１等によりその画像をネットワーク等を介して他の機器に送信することになる。印刷用紙の給紙先は給紙部３０２であり、印刷用紙の排紙先は排紙部３０３である。
【００６０】
原稿セット部３０１は、ＡＤＦ（自動原稿搬送装置）３２１と、フラットベッド３２２と、フラットベッドカバー３２３により構成される。
【００６１】
ＡＤＦ３２１は、フラットベッドカバー３２３の上面に設置されている。ＡＤＦ３２１には複数枚の原稿を重ねてセットすることができる。融合機１０１は、ＡＤＦ３２１に原稿がセットされている場合、スタートボタン３１３が押されることで、撮像部１２１によりその原稿から画像を取得する。具体的に言うと、スタートボタン３１３が押されると、ＡＤＦ３２１が、図３の矢印のような経路で複数枚の原稿を１枚ずつ搬送して、撮像部１２１が、図３の矢印のような経路で１枚ずつ搬送される原稿から画像を取得する。
【００６２】
フラットベッド３２２は、フラットベッドカバー３２３を開くと現れる。フラットベッド３２２は、ガラスやプラスチックのような透明部材により形成されている。フラットベッド３２２には原稿を下向きにセットする。融合機１０１は、フラットベッド３２２に原稿がセットされている場合、スタートボタン３１３が押されることで、撮像部１２１によりその原稿から画像を取得する。具体的に言うと、スタートボタン３１３が押されると、撮像部１２１が、フラットベッド３２２を介して対面する原稿から画像を取得する。
【００６３】
給紙部３０２は、印刷用紙の給紙先となる４箇所の給紙トレイと１箇所の手差しトレイにより構成される。排紙部３０３は、印刷用紙の排紙先となる１箇所の排紙トレイにより構成される。
【００６４】
（ユーザ情報）
図１の融合機１０１におけるユーザ情報の管理について説明する。
【００６５】
図１の融合機１０１においては、ユーザ情報は、ＵＣＳ１６７（図１参照）によりＨＤＤ２３３（図２参照）に蓄積されて管理されて、主にスキャナアプリ１４３（図１参照）とファクシミリアプリ１４４（図１参照）により利用される。融合機１０１がスキャナやファクシミリとして機能する場合、メールアドレスやファクシミリ電話番号のようなユーザ情報が必要となるからである。融合機１０１は、ＵＣＳ１６７によりＨＤＤ２３３に蓄積されて管理されているユーザ情報を利用して、画像をネットワーク等を介して他の機器に送信する等の画像形成処理（コピーやプリンタやスキャナやファクシミリとしての処理）を実行することができる。
【００６６】
図１の融合機１０１においては、ユーザ情報は、ＵＣＳ１６７により図５のようなアドレス帳５０１にて管理される。すなわち、ユーザ（エントリ）はユーザＩＤ（エントリＩＤ）を基にして管理されると共に、ユーザ情報は「名前」「表示名」「よみがな」「メール宛先」「ＦＡＸ宛先」等の管理項目の項目値として管理される。各ユーザのユーザ情報のデータ構造は、図６のようなツリー構造６０１となる。すなわち、管理項目「名前」「表示名」が親項目となり、管理項目「メール宛先」「ＦＡＸ宛先」等が子項目となる。
【００６７】
図１の融合機１０１は、ユーザ情報をネットワーク等を介してＬＤＡＰサーバから取得して管理することができる。融合機１０１は、ここでは図７のように、３台のＬＤＡＰサーバ７０１（ＬＤＡＰサーバＡ・Ｂ・Ｃ）とＬＡＮ７１１で接続されており、３台のＬＤＡＰサーバ７０１（ＬＤＡＰサーバＡ・Ｂ・Ｃ）からＬＡＮ７１１を介してユーザ情報を取得して管理することができる。
【００６８】
図７と図８のシステム図とフロー図により具体的に説明する。スキャナアプリ１４３やファクシミリアプリ１４４は、図７のようなスキャナ用画面７２１とファクシミリ用画面７２２をタッチパネル３１１（図４参照）に表示する。これらの画面を介して、ユーザ情報をＬＤＡＰサーバ７０１から取得（検索）する旨の操作が入力されると、スキャナアプリ１４３等からＵＣＳ１６７にサーバ情報の取得要求が送信（Ｓ１）されて、これに応じてＵＣＳ１６７からスキャナアプリ１４３等にサーバ情報が提供（Ｓ２）される。
【００６９】
サーバ情報は、融合機１０１と接続されているＬＤＡＰサーバ７０１に関する情報であり、ＵＣＳ１６７によりＨＤＤ２３３に蓄積されて管理される。サーバ情報の管理項目は「サーバ名」「ポート番号」「ＩＰアドレス」等である。サーバ情報は、図９のようなシステム初期設定画面９０１とＬＤＡＰサーバ登録／変更画面９０２で登録・変更することができる。具体的に言うと、システム初期設定画面９０１で「ＬＤＡＰサーバ登録／変更ボタン」がタッチされると、ＬＤＡＰサーバ登録／変更画面９０２に画面が移り、ＬＤＡＰサーバ登録／変更画面９０２でサーバ情報が入力されて「設定ボタン」がタッチされると、システム初期設定画面９０１に画面が戻り、サーバ情報が登録・変更される。なお、これらの画面は、ＳＣＳ１６８（図１参照）によりタッチパネル３１１に表示される。
【００７０】
続いて、サーバ情報に基づいて所望のユーザ情報を所望のＬＤＡＰサーバ７０１から取得（検索）する旨の操作が入力されると、スキャナアプリ１４３等からＵＣＳ１６７にユーザ情報の検索要求が送信（Ｓ３）されて、これに応じてＵＣＳ１６７からＬＤＡＰサーバ７０１に検索操作が要求（Ｓ４）されて、これに応じてＬＤＡＰサーバ７０１からＵＣＳ１６７に検索結果が応答（Ｓ５）されて、これに応じてＵＣＳ１６７からスキャナアプリ１４３等にユーザ情報の検索終了通知が送信（Ｓ６）される。
【００７１】
続いて、スキャナアプリ１４３等からＵＣＳ１６７にユーザ情報の取得要求が送信（Ｓ７）されて、これに応じてＵＣＳ１６７からスキャナアプリ１４３等にユーザ情報が提供（Ｓ８）される。
【００７２】
この様子を図１０の画面変化図により説明する。画面Ａは、図７のスキャナ用画面７２１である。画面Ａで「ルーペボタン１００１」がタッチされると、画面Ｂに画面が移る。画面Ｂで「ＬＤＡＰ検索ボタン１００２」がタッチされると、画面Ｃに画面が移る。画面Ｃで「ＬＤＡＰサーバ選択ボタン１０１１」がタッチされると、画面Ｄに画面が移り、画面Ｃで「ＬＤＡＰ検索条件入力ボタン１０１２」がタッチされると、画面Ｅに画面が移る。画面ＤでＬＤＡＰサーバが選択されて「ＯＫボタン１０２１」がタッチされると、画面Ｃに画面が戻り、画面ＥでＬＤＡＰ検索条件が入力されて「ＯＫボタン１０２２」がタッチされると、画面Ｆに画面が移り、やがてユーザ情報が表示されることになる。
【００７３】
なお、画面Ｂで「ＬＤＡＰ検索ボタン１００２」をタッチする操作が、ユーザ情報をＬＤＡＰサーバ７０１から取得（検索）する旨の操作に相当して、画面ＤでＬＤＡＰサーバを選択して「ＯＫボタン１０２１」をタッチする操作と、画面ＥでＬＤＡＰ検索条件を入力して「ＯＫボタン１０２２」をタッチする操作が、所望のユーザ情報を所望のＬＤＡＰサーバ７０１から取得（検索）する旨の操作に相当する。
【００７４】
図１１は、ＬＤＡＰサーバ７０１からＵＣＳ１６７に応答（Ｓ５）された検索結果、すなわち、ＬＤＡＰサーバ７０１から取得されたユーザ情報を表す。ユーザ情報の取得項目は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等である。ＬＤＡＰサーバ７０１においては、ユーザ情報は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等の管理項目（属性）の項目値（属性値）として管理されているからである。正確に言うと、ＬＤＡＰサーバ７０１においては、日本語等のＡＳＣＩＩ文字以外の文字はＢａｓｅ６４形式で符号化された上で記述されるが、図１１では便宜上省略した。
【００７５】
ところで、融合機１０１がユーザ情報をＬＤＡＰサーバ７０１から取得する場合、ＬＤＡＰサーバ７０１から取得されるユーザ情報の取得項目と、融合機１０１に管理されるユーザ情報の管理項目とを対応させる必要がある。ＬＤＡＰサーバ７０１に管理されているユーザ情報の管理項目と、融合機１０１に管理されるユーザ情報の管理項目とが同じとは限らないからである。例えば、ＬＤＡＰサーバ７０１ではメールアドレスは「ｍａｉｌ」という管理項目（図１１参照）に管理されるが、融合機１０１ではメールアドレスは「メール宛先」という管理項目（図５・図６参照）に管理される。そのため、ＬＤＡＰサーバ７０１から取得されるユーザ情報の取得項目と、融合機１０１に管理されるユーザ情報の管理項目との対応関係をカスタマイズしておくと便利である。これについては、第１・第２・第３実施例で取り扱う。
【００７６】
さらには、融合機１０１がユーザ情報をＬＤＡＰサーバ７０１から取得した場合、どの管理項目にユーザ情報を登録して管理することにするかを取捨選択する必要がある。例えば、融合機１０１が「ｍａｉｌ」と「ｆａｃｓｉｍｉｌｅＴｅｌｅｐｈｏｎｅＮｕｍｂｅｒ」をＬＤＡＰサーバ７０１から取得した場合、管理項目「メール宛先」と管理項目「ＦＡＸ宛先」の片方だけにユーザ情報を登録することもあれば、管理項目「メール宛先」と管理項目「ＦＡＸ宛先」の両方ともにユーザ情報を登録することもあるからである。これについては、第４・第５・第６実施例で取り扱う。
【００７７】
（第１実施例）
図１の融合機１０１に係る第１実施例について、図１２と図１３のシステム図とフロー図により説明する。
【００７８】
第１実施例では、図９のＬＤＡＰサーバ登録／変更画面９０２で「属性カスタマイズボタン９０３」がタッチされると、ＳＣＳ１６８からＵＣＳ１６７に属性カスタマイズ要求が送信（Ｓ１１）される。すると、代表ユーザのユーザ情報をＬＤＡＰサーバ７０１から取得（検索）すべく、ＵＣＳ１６７からＬＤＡＰサーバ７０１に検索操作が要求（Ｓ１２）されて、これに応じてＬＤＡＰサーバ７０１からＵＣＳ１６７に検索結果が応答（Ｓ１３）される。さらに、代表ユーザのユーザ情報に基づいて図１４のような記入用紙１４０１を印刷すべく、ＵＣＳ１６７からＥＣＳ１６４（図１参照）に記入用紙１４０１の印刷要求が送信（Ｓ１４）されて、印刷部１２２（図１参照）により記入用紙１４０１が印刷される。
【００７９】
図１４の記入用紙１４０１は、ＬＤＡＰサーバ７０１から取得されるユーザ情報の取得項目（取得属性）と、融合機１０１に管理されるユーザ情報の管理項目（図５のアドレス帳５０１の管理項目）との対応関係を記入するための記入用紙である。例えば、取得項目「ｍａｉｌ」と管理項目「メール宛先」とを対応させる場合には、図１４のように、両項目の交点の四角形を鉛筆等で塗りつぶすのである。縦に複数個の四角形が塗りつぶされた場合には、例えば、一番上や一番下の四角形が塗りつぶされたものとして取り扱う。第１実施例では、記入用紙１４０１に記入された取得項目と管理項目との対応関係の記入情報に基づいて、取得項目と管理項目との対応関係がカスタマイズされることになる。なお、代表ユーザのユーザ情報は、取得項目の意味付けを説明する役割を担っている。
【００８０】
図１４の記入用紙１４０１を印刷するための画像（画像データ）は、ＨＤＤ２３３に蓄積させておくものとする。
【００８１】
続いて、印刷部１２２により印刷された記入用紙１４０１に取得項目と管理項目との対応関係が記入されて、原稿セット部３０１（図３参照）にその記入用紙１４０１がセットされて、スタートボタン３１３（図４参照）が押されると、撮像部１２１（図１参照）によりその記入用紙１４０１から画像が取得されて、ＥＣＳ１６４からＵＣＳ１６７にその画像が提供（Ｓ１５）される。なお、原稿セット部３０１にセットされた原稿が「記入用紙１４０１」であることを融合機１０１に認識させる必要があるが、例えば、タッチパネル３１１によりその旨のモードに設定するようにしてもよいし、記入用紙１４０１に認識用部分を印刷しておくようにしてもよい。
【００８２】
続いて、ＵＣＳ１６７は、その画像に基づいて、取得項目と管理項目との対応関係をカスタマイズ（Ｓ１６）する。具体的に言うと、ＵＣＳ１６７は、その画像について画像処理を実行することにより、記入用紙１４０１に記入された取得項目と管理項目との対応関係の記入情報を検出して、その記入情報に基づいて、取得項目と管理項目との対応関係をカスタマイズする。画像処理はここでは擬似ＯＭＲ処理であり、マークシートと同様にして、四角形が鉛筆等で塗りつぶされているか否かを、白か黒かの閾値処理により検出する。なお、カスタマイズ情報は、ＵＣＳ１６７により図１５のような対応表１５０１にてＨＤＤ２３３に蓄積されて管理される。
【００８３】
このように、第１実施例では、図１４のような記入用紙１４０１により、ＬＤＡＰサーバ７０１から取得されるユーザ情報の取得項目と、融合機１０１に管理されるユーザ情報の管理項目との対応関係を比較的簡単にカスタマイズすることができる。
【００８４】
（第２実施例）
図１の融合機１０１に係る第２実施例について、図１６と図１７のシステム図とフロー図により説明する。
【００８５】
第２実施例では、図９のＬＤＡＰサーバ登録／変更画面９０２で「属性カスタマイズボタン９０３」がタッチされると、ＳＣＳ１６８からＵＣＳ１６７に属性カスタマイズ要求が送信（Ｓ２１）される。すると、代表ユーザのユーザ情報をＬＤＡＰサーバ７０１から取得（検索）すべく、ＵＣＳ１６７からＬＤＡＰサーバ７０１に検索操作が要求（Ｓ２２）されて、これに応じてＬＤＡＰサーバ７０１からＵＣＳ１６７に検索結果が応答（Ｓ２３）される。さらに、代表ユーザのユーザ情報に基づいて図１８のような入力画面１８０１を送信すべく、ＵＣＳ１６７からネットワークファイルアプリ（ＮＦＡ）１４５（図１参照）にメールの送信要求が送信（Ｓ２４）されて、ＮＩＣ２４１（図２参照）を送信部として、ＮＦＡ１４５によりメールがネットワーク等を介して他の機器に送信される。ここでは、ＬＡＮ７１１を介してＬＡＮ７１１に接続されているパソコン１６０１に送信される。
【００８６】
図１８の入力画面１８０１は、ＬＤＡＰサーバ７０１から取得されるユーザ情報の取得項目（取得属性）と、融合機１０１に管理されるユーザ情報の管理項目（図５のアドレス帳５０１の管理項目）との対応関係を入力するための入力画面である。例えば、取得項目「ｍａｉｌ」と管理項目「メール宛先」とを対応させる場合には、図１８のように、両項目の交点の四角形をマウスでクリックする等してチェックするのである。第２実施例では、入力画面１８０１で入力された取得項目と管理項目との対応関係の入力情報に基づいて、取得項目と管理項目との対応関係がカスタマイズされることになる。なお、代表ユーザのユーザ情報は、取得項目の意味付けを説明する役割を担っている。
【００８７】
図１８の入力画面１８０１は、ここではＷｅｂ画面であるとする。入力画面１８０１を表示するためのＨＴＭＬ文書（ＨＴＭＬ文書データ）は、ＨＤＤ２３３に蓄積させておくものとする。上記のメールは、ここではＨＴＭＬメールであるとする。上記のメールには、入力画面１８０１を表示するためのＨＴＭＬ文書のＵＲＬが記載されるものとする。なお、図１によりすでに説明したように、ＮＦＡ１４５は、ＨＴＭＬ文書等を配信するためのＷｅｂサーバソフト、ＨＴＭＬ文書等を閲覧するためのＷｅｂブラウザ等により構成されている。
【００８８】
パソコン１６０１にて、融合機１０１から送信されたメールを開くと、入力画面１８０１を表示するためのＨＴＭＬ文書のＵＲＬが記載されている。その入力画面１８０１を表示すべく、そのＵＲＬを利用してそのＨＴＭＬ文書を閲覧しようとすると、融合機１０１にそのＨＴＭＬ文書の配信要求が送信される。
【００８９】
融合機１０１にて、ＮＩＣ２４１を受信部として、ＮＦＡ１４５を構成するＷｅｂサーバソフトにより入力画面１８０１を表示するためのＨＴＭＬ文書の配信要求がパソコン１６０１から受信されると、ＮＩＣ２４１を送信部として、ＮＦＡ１４５を構成するＷｅｂサーバソフトによりその入力画面１８０１がＨＴＭＬ文書の形でパソコン１６０１に送信（配信）される。
【００９０】
パソコン１６０１にて、融合機１０１からＨＴＭＬ文書の形で送信（配信）された入力画面１８０１で取得項目と管理項目との対応関係を入力して、入力情報送信ボタン１８０２をクリックすると、融合機１０１にその入力画面１８０１で入力された取得項目と管理項目との対応関係の入力情報が送信される。
【００９１】
融合機１０１にて、ＮＩＣ２４１を受信部として、ＮＦＡ１４５を構成するＷｅｂサーバソフトによりその入力情報がパソコン１６０１から受信されると、ＮＦＡ１４５からＵＣＳ１６７にその入力情報が提供（Ｓ２５）される。
【００９２】
続いて、ＵＣＳ１６７は、その入力情報に基づいて、取得項目と管理項目との対応関係をカスタマイズ（Ｓ２６）する。なお、カスタマイズ情報は、ＵＣＳ１６７により図１５のような対応表１５０１にてＨＤＤ２３３に蓄積されて管理される。
【００９３】
このように、第２実施例では、図１８のような入力画面１８０１により、ＬＤＡＰサーバ７０１から取得されるユーザ情報の取得項目と、融合機１０１に管理されるユーザ情報の管理項目との対応関係を比較的簡単にカスタマイズすることができる。
【００９４】
（第３実施例）
図１の融合機１０１に係る第３実施例について、図１９と図２０のシステム図とフロー図により説明する。
【００９５】
第３実施例では、図９のＬＤＡＰサーバ登録／変更画面９０２で「属性カスタマイズボタン９０３」がタッチされると、ＳＣＳ１６８からＵＣＳ１６７に属性カスタマイズ要求が送信（Ｓ３１）される。すると、代表ユーザのユーザ情報をＬＤＡＰサーバ７０１から取得（検索）すべく、ＵＣＳ１６７からＬＤＡＰサーバ７０１に検索操作が要求（Ｓ３２）されて、これに応じてＬＤＡＰサーバ７０１からＵＣＳ１６７に検索結果が応答（Ｓ３３）される。さらに、代表ユーザのユーザ情報に基づいて図１８のような入力画面１８０１を表示すべく、ＵＣＳ１６７からネットワークファイルアプリ（ＮＦＡ）１４５に入力画面１８０１の表示要求が送信（Ｓ３４）されて、タッチパネル３１１により入力画面１８０１が表示される。
【００９６】
図１８の入力画面１８０１は、ＬＤＡＰサーバ７０１から取得されるユーザ情報の取得項目（取得属性）と、融合機１０１に管理されるユーザ情報の管理項目（図５のアドレス帳５０１の管理項目）との対応関係を入力するための入力画面である。例えば、取得項目「ｍａｉｌ」と管理項目「メール宛先」とを対応させる場合には、図１８のように、両項目の交点の四角形をタッチパネル３１１にタッチする等してチェックするのである。第３実施例では、入力画面１８０１で入力された取得項目と管理項目との対応関係の入力情報に基づいて、取得項目と管理項目との対応関係がカスタマイズされることになる。なお、代表ユーザのユーザ情報は、取得項目の意味付けを説明する役割を担っている。
【００９７】
図１８の入力画面１８０１は、ここではＷｅｂ画面であるとする。入力画面１８０１を表示するためのＨＴＭＬ文書（ＨＴＭＬ文書データ）は、ＨＤＤ２３３に蓄積させておくものとする。なお、図１によりすでに説明したように、ＮＦＡ１４５は、ＨＴＭＬ文書等を配信するためのＷｅｂサーバソフト、ＨＴＭＬ文書等を閲覧するためのＷｅｂブラウザ等により構成されている。
【００９８】
タッチパネル３１１により表示される入力画面１８０１は、ＮＦＡ１４５を構成するＷｅｂサーバソフトからＮＦＡ１４５を構成するＷｅｂブラウザにＨＴＭＬ文書の形で送信（配信）されて表示されるものである。
【００９９】
続いて、タッチパネル３１１により表示されている入力画面１８０１で、タッチパネル３１１により取得項目と管理項目との対応関係が入力されて、入力情報送信ボタン１８０２がタッチされると、その入力画面１８０１で入力された取得項目と管理項目との対応関係の入力情報がＮＦＡ１４５からＵＣＳ１６７に提供（Ｓ３５）される。
【０１００】
タッチパネル３１１により入力される入力情報は、ＮＦＡ１４５を構成するＷｅｂブラウザからＮＦＡ１４５を構成するＷｅｂサーバソフトに送信されて提供されるものである。
【０１０１】
続いて、ＵＣＳ１６７は、その入力情報に基づいて、取得項目と管理項目との対応関係をカスタマイズ（Ｓ３６）する。なお、カスタマイズ情報は、ＵＣＳ１６７により図１５のような対応表１５０１にてＨＤＤ２３３に蓄積されて管理される。
【０１０２】
このように、第３実施例では、図１８のような入力画面１８０１により、ＬＤＡＰサーバ７０１から取得されるユーザ情報の取得項目と、融合機１０１に管理されるユーザ情報の管理項目との対応関係を比較的簡単にカスタマイズすることができる。
【０１０３】
（第４実施例）
図１の融合機１０１に係る第４実施例について、図２１と図２２のシステム図とフロー図により説明する。
【０１０４】
第４実施例では、ＬＤＡＰサーバ７０１から取得されるユーザ情報の取得項目と、融合機１０１に管理されるユーザ情報の管理項目との対応関係がカスタマイズされているものとする。ここでは、第１実施例の手法により取得項目と管理項目との対応関係がカスタマイズされて、ＵＣＳ１６７によりカスタマイズ情報がＨＤＤ２３３に蓄積されて管理されているものとする。
【０１０５】
図２３の画面変化図は、図１０の画面変化図に続く画面変化図である。第４実施例では、図１０の画面Ｆから図２３の画面Ｇにやがて画面が移る。
【０１０６】
画面Ｇには、ＵＣＳ１６７からスキャナアプリ１４３等に提供（Ｓ８）されたユーザ情報が表示される。このユーザ情報は、ＬＤＡＰサーバ７０１からＵＣＳ１６７に応答（Ｓ５）された検索結果、すなわち、ＬＤＡＰサーバ７０１から取得されたユーザ情報である。ただし、ＬＤＡＰサーバ７０１から取得されたユーザ情報そのままではなく、ＵＣＳ１６７が、カスタマイズ情報に基づいて、取得項目（図１１参照）を管理項目（図５・図６参照）に置き換えたものである。例えば、取得項目「ｍａｉｌ」は管理項目「メール宛先」に置き換えられている。なお、図２３の画面Ｇにユーザ「鈴木＊＊」のユーザ情報が多数表示されているのは、図１０の画面ＥでＬＤＡＰ検索条件「名前」が前方一致で「鈴木」と入力されたためである。
【０１０７】
画面Ｇでユーザ「鈴木太郎」がタッチされて「詳細ボタン２３０１」がタッチされると、画面Ｈに画面が移る。画面Ｈには、ユーザ「鈴木太郎」のユーザ情報の詳細が表示される。やはり、取得項目は管理項目に置き換えられている。画面Ｈで「閉じるボタン２３０２」がタッチされると、画面Ｇに画面が戻る。
【０１０８】
画面Ｇで「見出し切り替えボタン２３１１」がタッチされると、画面Ｉに画面が移る。
【０１０９】
画面Ｉで「検索結果印刷ボタン２３２１」がタッチされると、スキャナアプリ１４３等からＵＣＳ１６７に検索結果（ＬＤＡＰサーバ７０１から取得されたユーザ情報）の印刷要求が送信される。すると、ＵＣＳ１６７からＥＣＳ１６４に検索結果の印刷要求が送信されて、印刷部１２２により検索結果が印刷される。これにより、検索結果の確認が比較的簡単になる。
【０１１０】
画面Ｉで「検索結果送信ボタン２３２２」がタッチされると、スキャナアプリ１４３等からＵＣＳ１６７に検索結果（ＬＤＡＰサーバ７０１から取得されたユーザ情報）の送信要求が送信される。すると、ＵＣＳ１６７からネットワークファイルアプリ１４５に検索結果の送信要求が送信されて、ＮＩＣ２４１を送信部として、ネットワークファイルアプリ１４５により検索結果が記載されたメール（テキストで記載されてもイメージで記載されてもよい）がネットワーク等を介して他の機器に送信される。検索結果が記載されたメールの代わりに、検索結果を表示するためのＨＴＭＬ文書のＵＲＬが記載されたメールでもよい。これらにより、検索結果の確認が比較的簡単になる。
【０１１１】
画面Ｉで「一括登録ボタン２３２３」がタッチされると、スキャナアプリ１４３等からＵＣＳ１６７に検索結果（ＬＤＡＰサーバ７０１から取得されたユーザ情報）の一括登録要求が送信される。すると、ＵＣＳ１６７は、登録するユーザ情報が存在する全ユーザに関して、登録するユーザ情報が存在する全管理項目にユーザ情報を登録する。ユーザ情報は、図５のアドレス帳５０１の各管理項目に登録されて管理される。
【０１１２】
画面Ｉで「選択登録ボタン２３２４」がタッチされると、スキャナアプリ１４３等からＵＣＳ１６７に検索結果（ＬＤＡＰサーバ７０１から取得されたユーザ情報）の選択登録要求が送信（Ｓ４１）される。すると、図２４のような記入用紙２４０１を印刷すべく、ＵＣＳ１６７からＥＣＳ１６４に記入用紙２４０１の印刷要求が送信（Ｓ４２）されて、印刷部１２２により記入用紙２４０１が印刷される。
【０１１３】
図２４の記入用紙２４０１は、ＬＤＡＰサーバ７０１からユーザ情報が取得されたとき、各ユーザに関して、どの管理項目（図５のアドレス帳５０１の管理項目）にそのユーザ情報を登録して管理するかを記入するための記入用紙である。例えば、ＬＤＡＰサーバ７０１からユーザ情報が取得されたとき、ユーザ「鈴木太郎」に関して、管理項目「メール宛先」にそのユーザ情報を登録して管理する場合には、図２４のように、前者と後者の交点の四角形を鉛筆等で塗りつぶすのである。第４実施例では、記入用紙２４０１に記入されたどの管理項目にユーザ情報を登録して管理するかの記入情報に基づいて、各管理項目にユーザ情報が登録されて管理されることになる。なお、記入用紙２４０１には、カスタマイズ情報に基づいて、取得項目（取得属性）と管理項目との対応関係が印刷される。これは、取得項目と管理項目との対応関係を説明する役割を担っている。
【０１１４】
図２４の記入用紙２４０１を印刷するための画像（画像データ）は、ＨＤＤ２３３に蓄積させておくものとする。
【０１１５】
続いて、印刷部１２２により印刷された記入用紙２４０１にどの管理項目にユーザ情報を登録して管理するかが記入されて、原稿セット部３０１にその記入用紙２４０１がセットされて、スタートボタン３１３が押されると、撮像部１２１によりその記入用紙２４０１から画像が取得されて、ＥＣＳ１６４からＵＣＳ１６７にその画像が提供（Ｓ４３）される。なお、原稿セット部３０１にセットされた原稿が「記入用紙２４０１」であることを融合機１０１に認識させる必要があるが、例えば、タッチパネル３１１によりその旨のモードに設定するようにしてもよいし、記入用紙２４０１に認識用部分を印刷しておくようにしてもよい。
【０１１６】
続いて、ＵＣＳ１６７は、その画像に基づいて、各管理項目にユーザ情報を登録（Ｓ４４）する。具体的に言うと、ＵＣＳ１６７は、その画像について画像処理を実行することにより、記入用紙２４０１に記入されたどの管理項目にユーザ情報を登録して管理するかの記入情報を検出して、その記入情報に基づいて、各管理項目にユーザ情報を登録する。画像処理はここでは擬似ＯＭＲ処理であり、マークシートと同様にして、四角形が鉛筆等で塗りつぶされているか否かを、白か黒かの閾値処理により検出する。ユーザ情報は、図５のアドレス帳５０１の各管理項目に登録されて管理される。
【０１１７】
このように、第４実施例では、ＬＤＡＰサーバ７０１からユーザ情報が取得されたとき、図２４のような記入用紙２４０１により、各ユーザに関して、どの管理項目にそのユーザ情報を登録して管理するかを比較的簡単に取捨選択することができる。
【０１１８】
（第５実施例）
図１の融合機１０１に係る第５実施例について、図２５と図２６のシステム図とフロー図により説明する。
【０１１９】
第５実施例では、ＬＤＡＰサーバ７０１から取得されるユーザ情報の取得項目と、融合機１０１に管理されるユーザ情報の管理項目との対応関係がカスタマイズされているものとする。ここでは、第２実施例の手法により取得項目と管理項目との対応関係がカスタマイズされて、ＵＣＳ１６７によりカスタマイズ情報がＨＤＤ２３３に蓄積されて管理されているものとする。
【０１２０】
図２３の画面変化図は、図１０の画面変化図に続く画面変化図である。第５実施例では、図１０の画面Ｆから図２３の画面Ｇにやがて画面が移る。画面Ｇと、画面Ｈと、画面Ｉの「検索結果印刷ボタン２３２１」と「検索結果送信ボタン２３２２」と「一括登録ボタン２３２３」については、第４実施例と同様である。
【０１２１】
画面Ｉで「選択登録ボタン２３２４」がタッチされると、スキャナアプリ１４３等からＵＣＳ１６７に検索結果（ＬＤＡＰサーバ７０１から取得されたユーザ情報）の選択登録要求が送信（Ｓ５１）される。すると、図２７のような入力画面２７０１を送信すべく、ＵＣＳ１６７からネットワークファイルアプリ（ＮＦＡ）１４５にメールの送信要求が送信（Ｓ５２）されて、ＮＩＣ２４１を送信部として、ＮＦＡ１４５によりメールがネットワーク等を介して他の機器に送信される。ここでは、ＬＡＮ７１１を介してＬＡＮ７１１に接続されているパソコン２５０１に送信される。
【０１２２】
図２７の入力画面２７０１は、ＬＤＡＰサーバ７０１からユーザ情報が取得されたとき、各ユーザに関して、どの管理項目（図５のアドレス帳５０１の管理項目）にそのユーザ情報を登録して管理するかを入力するための入力画面である。例えば、ＬＤＡＰサーバ７０１からユーザ情報が取得されたとき、ユーザ「鈴木太郎」に関して、管理項目「メール宛先」にそのユーザ情報を登録して管理する場合には、図２７のように、前者と後者の交点の四角形をマウスでクリックする等してチェックするのである。第５実施例では、入力画面２７０１で入力されたどの管理項目にユーザ情報を登録して管理するかの入力情報に基づいて、各管理項目にユーザ情報が登録されて管理されることになる。なお、入力画面２７０１には、カスタマイズ情報に基づいて、取得項目（取得属性）と管理項目との対応関係が表示される。これは、取得項目と管理項目との対応関係を説明する役割を担っている。
【０１２３】
図２７の入力画面２７０１は、ここではＷｅｂ画面であるとする。入力画面２７０１を表示するためのＨＴＭＬ文書（ＨＴＭＬ文書データ）は、ＨＤＤ２３３に蓄積させておくものとする。上記のメールは、ここではＨＴＭＬメールであるとする。上記のメールには、入力画面２７０１を表示するためのＨＴＭＬ文書のＵＲＬが記載されるものとする。なお、図１によりすでに説明したように、ＮＦＡ１４５は、ＨＴＭＬ文書等を配信するためのＷｅｂサーバソフト、ＨＴＭＬ文書等を閲覧するためのＷｅｂブラウザ等により構成されている。
【０１２４】
パソコン２５０１にて、融合機１０１から送信されたメールを開くと、入力画面２７０１を表示するためのＨＴＭＬ文書のＵＲＬが記載されている。その入力画面２７０１を表示すべく、そのＵＲＬを利用してそのＨＴＭＬ文書を閲覧しようとすると、融合機１０１にそのＨＴＭＬ文書の配信要求が送信される。
【０１２５】
融合機１０１にて、ＮＩＣ２４１を受信部として、ＮＦＡ１４５を構成するＷｅｂサーバソフトにより入力画面２７０１を表示するためのＨＴＭＬ文書の配信要求がパソコン２５０１から受信されると、ＮＩＣ２４１を送信部として、ＮＦＡ１４５を構成するＷｅｂサーバソフトによりその入力画面２７０１がＨＴＭＬ文書の形でパソコン２５０１に送信（配信）される。
【０１２６】
パソコン２５０１にて、融合機１０１からＨＴＭＬ文書の形で送信（配信）された入力画面２７０１でどの管理項目にユーザ情報を登録して管理するかを入力して、入力情報送信ボタン２７０２をクリックすると、融合機１０１にその入力画面２５０１で入力されたどの管理項目にユーザ情報を登録して管理するかの入力情報が送信される。
【０１２７】
融合機１０１にて、ＮＩＣ２４１を受信部として、ＮＦＡ１４５を構成するＷｅｂサーバソフトによりその入力情報がパソコン２５０１から受信されると、ＮＦＡ１４５からＵＣＳ１６７にその入力情報が提供（Ｓ５３）される。
【０１２８】
続いて、ＵＣＳ１６７は、その入力情報に基づいて、各管理項目にユーザ情報を登録（Ｓ５４）する。ユーザ情報は、図５のアドレス帳５０１の各管理項目に登録されて管理される。
【０１２９】
このように、第５実施例では、ＬＤＡＰサーバ７０１からユーザ情報が取得されたとき、図２７のような入力画面２７０１により、各ユーザに関して、どの管理項目にそのユーザ情報を登録して管理するかを比較的簡単に取捨選択することができる。
【０１３０】
（第６実施例）
図１の融合機１０１に係る第６実施例について、図２８と図２９のシステム図とフロー図により説明する。
【０１３１】
第６実施例では、ＬＤＡＰサーバ７０１から取得されるユーザ情報の取得項目と、融合機１０１に管理されるユーザ情報の管理項目との対応関係がカスタマイズされているものとする。ここでは、第３実施例の手法により取得項目と管理項目との対応関係がカスタマイズされて、ＵＣＳ１６７によりカスタマイズ情報がＨＤＤ２３３に蓄積されて管理されているものとする。
【０１３２】
図２３の画面変化図は、図１０の画面変化図に続く画面変化図である。第６実施例では、図１０の画面Ｆから図２３の画面Ｇにやがて画面が移る。画面Ｇと、画面Ｈと、画面Ｉの「検索結果印刷ボタン２３２１」と「検索結果送信ボタン２３２２」と「一括登録ボタン２３２３」については、第４実施例と同様である。
【０１３３】
画面Ｉで「選択登録ボタン２３２４」がタッチされると、スキャナアプリ１４３等からＵＣＳ１６７に検索結果（ＬＤＡＰサーバ７０１から取得されたユーザ情報）の選択登録要求が送信（Ｓ６１）される。すると、図２７のような入力画面２７０１を表示すべく、ＵＣＳ１６７からネットワークファイルアプリ（ＮＦＡ）１４５に入力画面２７０１の表示要求が送信（Ｓ６２）されて、タッチパネル３１１により入力画面２７０１が表示される。
【０１３４】
図２７の入力画面２７０１は、ＬＤＡＰサーバ７０１からユーザ情報が取得されたとき、各ユーザに関して、どの管理項目（図５のアドレス帳５０１の管理項目）にそのユーザ情報を登録して管理するかを入力するための入力画面である。例えば、ＬＤＡＰサーバ７０１からユーザ情報が取得されたとき、ユーザ「鈴木太郎」に関して、管理項目「メール宛先」にそのユーザ情報を登録して管理する場合には、図２７のように、前者と後者の交点の四角形をタッチパネル３１１にタッチする等してチェックするのである。第６実施例では、入力画面２７０１で入力されたどの管理項目にユーザ情報を登録して管理するかの入力情報に基づいて、各管理項目にユーザ情報が登録されて管理されることになる。なお、入力画面２７０１には、カスタマイズ情報に基づいて、取得項目（取得属性）と管理項目との対応関係が表示される。これは、取得項目と管理項目との対応関係を説明する役割を担っている。
【０１３５】
図２７の入力画面２７０１は、ここではＷｅｂ画面であるとする。入力画面２７０１を表示するためのＨＴＭＬ文書（ＨＴＭＬ文書データ）は、ＨＤＤ２３３に蓄積させておくものとする。なお、図１によりすでに説明したように、ＮＦＡ１４５は、ＨＴＭＬ文書等を配信するためのＷｅｂサーバソフト、ＨＴＭＬ文書等を閲覧するためのＷｅｂブラウザ等により構成されている。
【０１３６】
タッチパネル３１１により表示される入力画面２７０１は、ＮＦＡ１４５を構成するＷｅｂサーバソフトからＮＦＡ１４５を構成するＷｅｂブラウザにＨＴＭＬ文書の形で送信（配信）されて表示されるものである。
【０１３７】
続いて、タッチパネル３１１により表示されている入力画面２７０１で、タッチパネル３１１によりどの管理項目にユーザ情報を登録して管理するかが入力されて、入力情報送信ボタン２７０２がタッチされると、その入力画面２７０１で入力されたどの管理項目にユーザ情報を登録して管理するかの入力情報がＮＦＡ１４５からＵＣＳ１６７に提供（Ｓ６３）される。
【０１３８】
タッチパネル３１１により入力される入力情報は、ＮＦＡ１４５を構成するＷｅｂブラウザからＮＦＡ１４５を構成するＷｅｂサーバソフトに送信されて提供されるものである。
【０１３９】
続いて、ＵＣＳ１６７は、その入力情報に基づいて、各管理項目にユーザ情報を登録（Ｓ６４）する。ユーザ情報は、図５のアドレス帳５０１の各管理項目に登録されて管理される。
【０１４０】
このように、第６実施例では、ＬＤＡＰサーバ７０１からユーザ情報が取得されたとき、図２７のような入力画面２７０１により、各ユーザに関して、どの管理項目にそのユーザ情報を登録して管理するかを比較的簡単に取捨選択することができる。
【０１４１】
なお、これまでの説明に関して、ＮＩＣ２４１等に関する制御には、ＮＣＳ１６１やＦＣＳ１６２やＤＣＳ１６３のプロセスが関与し、撮像部１２１や印刷部１２２に関する制御には、ＥＣＳ１６４のプロセスが関与し、ＨＤＤ２３３に関する制御には、ＭＣＳ１６５のプロセスが関与し、オペレーションパネル２０２に関する制御には、ＯＣＳ１６６のプロセスが関与している。例えば、融合機１０１とＬＤＡＰサーバ７０１の間での要求と応答に関する制御には、ＮＣＳ１６１のプロセスが関与し、融合機１０１からパソコン１６０１へのＨＴＭＬ文書の配信に関する制御には、ＤＣＳ１６３のプロセスが関与している。
【０１４２】
【発明の効果】
このように、本発明は第１に、ＬＤＡＰサーバ等の情報管理サーバからユーザ情報を取得して管理する画像形成装置に関して、情報管理サーバから取得されるユーザ情報の取得項目と、画像形成装置に管理されるユーザ情報の管理項目との対応関係を比較的簡単にカスタマイズすることを可能にする。
【０１４３】
このように、本発明は第２に、ＬＤＡＰサーバ等の情報管理サーバからユーザ情報を取得して管理する画像形成装置に関して、情報管理サーバからユーザ情報を取得したとき、どの管理項目にユーザ情報を登録して管理することにするかを比較的簡単に取捨選択することを可能にする。
【図面の簡単な説明】
【図１】本発明の実施の形態の例である融合機を表す。
【図２】図１の融合機のハードウェアを表す。
【図３】図１の融合機の外観を表す。
【図４】オペレーションパネルを表す。
【図５】融合機に管理されるユーザ情報に係るアドレス帳を表す。
【図６】融合機に管理されるユーザ情報に係るツリー構造を表す。
【図７】融合機とＬＤＡＰサーバの間での要求と応答に係るシステム図である。
【図８】融合機とＬＤＡＰサーバの間での要求と応答に係るフロー図である。
【図９】システム初期設定画面とＬＤＡＰサーバ登録／変更画面を表す。
【図１０】融合機とＬＤＡＰサーバの間での要求と応答に係る画面変化図である。
【図１１】ＬＤＡＰサーバから取得されたユーザ情報を表す。
【図１２】第１実施例に係るシステム図である。
【図１３】第１実施例に係るフロー図である。
【図１４】取得項目と管理項目との対応関係を記入するための記入用紙を表す。
【図１５】融合機に管理されるカスタマイズ情報に係る対応表を表す。
【図１６】第２実施例に係るシステム図である。
【図１７】第２実施例に係るフロー図である。
【図１８】取得項目と管理項目との対応関係を入力するための入力画面を表す。
【図１９】第３実施例に係るシステム図である。
【図２０】第３実施例に係るフロー図である。
【図２１】第４実施例に係るシステム図である。
【図２２】第４実施例に係るフロー図である。
【図２３】図１０の画面変化図に続く画面変化図である。
【図２４】どの管理項目にユーザ情報を登録して管理するかを記入するための記入用紙を表す。
【図２５】第５実施例に係るシステム図である。
【図２６】第５実施例に係るフロー図である。
【図２７】どの管理項目にユーザ情報を登録して管理するかを入力するための入力画面を表す。
【図２８】第６実施例に係るシステム図である。
【図２９】第６実施例に係るフロー図である。
【符号の説明】
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  ユーザディレクトリコントロールサービス
１６８  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  数字ボタン
３１３  スタートボタン
３２１  ＡＤＦ
３２２  フラットベッド
３２３  フラットベッドカバー
５０１  アドレス帳
６０１  ツリー構造
７０１  ＬＤＡＰサーバ
７１１  ＬＡＮ
７２１  スキャナ用画面
７２２  ファクシミリ用画面
９０１  システム初期設定画面
９０２  ＬＤＡＰサーバ登録／変更画面
９０３  属性カスタマイズボタン
１００１  ルーペボタン
１００２  ＬＤＡＰ検索ボタン
１０１１  ＬＤＡＰサーバ選択ボタン
１０１２  ＬＤＡＰ検索条件入力ボタン
１０２１  ＯＫボタン
１０２２  ＯＫボタン
１４０１  記入用紙
１５０１  対応表
１６０１  パソコン
１８０１  入力画面
１８０２  入力情報送信ボタン
２３０１  詳細ボタン
２３０２  閉じるボタン
２３１１  見出し切り替えボタン
２３２１  検索結果印刷ボタン
２３２２  検索結果送信ボタン
２３２３  一括登録ボタン
２３２４  選択登録ボタン
２４０１  記入用紙
２５０１  パソコン
２７０１  入力画面
２７０２  入力情報送信ボタン
【図１】
2004274486.tif 000003
【図２】
2004274486.tif 000004
【図３】
2004274486.tif 000005
【図４】
2004274486.tif 000006
【図５】
2004274486.tif 000007
【図６】
2004274486.tif 000008
【図７】
2004274486.tif 000009
【図８】
2004274486.tif 000010
【図９】
2004274486.tif 000011
【図１０】
2004274486.tif 000012
【図１１】
2004274486.tif 000013
【図１２】
2004274486.tif 000014
【図１３】
2004274486.tif 000015
【図１４】
2004274486.tif 000016
【図１５】
2004274486.tif 000017
【図１６】
2004274486.tif 000018
【図１７】
2004274486.tif 000019
【図１８】
2004274486.tif 000020
【図１９】
2004274486.tif 000021
【図２０】
2004274486.tif 000022
【図２１】
2004274486.tif 000023
【図２２】
2004274486.tif 000024
【図２３】
2004274486.tif 000025
【図２４】
2004274486.tif 000026
【図２５】
2004274486.tif 000027
【図２６】
2004274486.tif 000028
【図２７】
2004274486.tif 000029
【図２８】
2004274486.tif 000030
【図２９】
2004274486.tif 000031